(57)【要約】      （修正有）【課題】金属針を用いずに、雄ルアーの接続により補液等が行える医療用弁を提供する。【解決手段】上端が開口する中空とされて、雄ルアー３７のチップ３８が挿脱自在に挿入されるハウジング１と、ハウジング１内に上下方向に配設され、径方向外方に開口する液体移送路２８が上下方向に形成されて、液体移送路２８の下部が液体回路２６と接続されるスパイク体２と、弾性変形可能なチューブ状とされ、スパイク体２に外嵌されて、スパイク体２をシールすると共に、上端部が、スパイク体２の上方で、開閉可能に閉鎖される開閉部２９とされ、雄ルアー３７のチップ３８による下方への押圧により、弾性変形して、下方に縮小すると共に、開閉部２９がスパイク体２と当接して、径方向外方に弾性変形し、開放されて、スパイク体２に外嵌され、雄ルアー３７内部とスパイク体２の液体移送路２８が連通する弾性シール３を有する。【選択図】  図５
2004298618.tif 000002
【特許請求の範囲】
【請求項１】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、少なくとも上端部を除く部分が、上端に向    かうに従って外径が漸次連続的に小となる略テーパー状に形成され、径方向外方に開    口する液体移送路が上下方向に形成されて、液体移送路の下部が液体回路と接続され    るスパイク体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有する医療用弁。
【請求項２】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、少なくとも上端部を除く部分が、上方に向    かって略テーパー状に形成され、外周面に、径方向外方に開口する溝状の液体移送路    が上下方向に形成されて、液体移送路の下部が液体回路と接続される中実のスパイク    体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有する医療用弁。
【請求項３】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、少なくとも上端部を除く部分が、上方に向    かって略テーパー状に形成され、径方向外方に開口する液体移送路が上下方向に形成    されて、液体移送路の下部が液体回路と接続されるスパイク体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有し、
スパイク体が、
(a) その上端部を構成する結合部と、
(b) 結合部と一体形成され、結合部から下方に分岐されて、スパイク体の残部を構成す    る複数の分岐部
から成り、
分岐部間が液体移送路とされた医療用弁。
【請求項４】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、少なくとも上端部を除く部分が、上方に向    かって略テーパー状に形成され、径方向外方に開口する液体移送路が上下方向に形成    されて、液体移送路の下部が液体回路と接続されるスパイク体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有し、
スパイク体が、スパイク体の上下方向全長にわたる複数の分割体から成り、
分割体間が液体移送路とされた医療用弁。
【請求項５】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、少なくとも上端部を除く部分が、上方に向    かって略テーパー状に形成され、径方向外方に開口する液体移送路が上下方向に形成    されて、液体移送路の下部が液体回路と接続されるスパイク体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有し、
スパイク体が、
(a) スパイク体の上下方向全長にわたる複数の主体部と、
(b) これら主体部と一体形成されて、主体部間に配設され、これら主体部を結合するブ    リッジ部
を有し、
主体部間が液体移送路とされた医療用弁。
【請求項６】
雄ルアーが分離可能に接続される医療用弁であって、
Ａ．上端が開口する中空とされて、雄ルアーのチップが挿脱自在に挿入されるハウジン    グと、
Ｂ．ハウジング内に上下方向に配設されて、上端部が略円柱状とされると共に、上端面    が上方に向かって凸状の略半球面とされ、上端部を除く部分が、上端に向かうに従っ    て外径が漸次連続的に小となる略テーパー状に形成され、径方向外方に開口する液体    移送路が上下方向に形成されて、液体移送路の下部が液体回路と接続されるスパイク    体と、
Ｃ．弾性変形可能なチューブ状とされ、スパイク体に外嵌されて、スパイク体をシール    すると共に、上端部が、スパイク体の上方で、開閉可能に閉鎖される開閉部とされ、    雄ルアーのチップによる下方への押圧により、弾性変形して、下方に縮小すると共に    、開閉部がスパイク体と当接して、径方向外方に弾性変形し、開放されて、スパイク    体に外嵌され、雄ルアー内部とスパイク体の液体移送路が連通する弾性シール
を有する医療用弁。
【請求項７】
スパイク体が、軸心部から径方向外方に突出する３枚以上のフィンを有し、隣接するフィン間が液体移送路とされた請求項１又は６記載の医療用弁。
【請求項８】
フィンが周方向等間隔に配設され、各フィンの外縁が弾性シール内面に当接する請求項７記載の医療用弁。
【請求項９】
弾性シールにおける、フィンとの当接部の横断面が略多角形とされた請求項８記載の医療用弁。
【請求項１０】
スパイク体の下部がハウジングに挿入、固定された請求項１〜９の何れかに記載の医療用弁。
【請求項１１】
開閉部の下面の中心部側が略平面とされて、スパイク体の上端と間隙を介して対向する請求項１〜１０の何れかに記載の医療用弁。
【請求項１２】
弾性シールの上部の内周面に、径方向内方に突出し且つスパイク体の上端部と当接するリング状突起が略全周にわたって形成された請求項１〜１１の何れかに記載の医療用弁。
【請求項１３】
弾性シールにおける、開閉部と下端部を除く部分が、蛇腹状の伸縮部とされた請求項１〜１２の何れかに記載の医療用弁。
【請求項１４】
ハウジングの上端面と弾性シールの上端面が略面一とされた請求項１〜１３の何れかに記載の医療用弁。
【発明の詳細な説明】
【技術分野】
【０００１】
本発明は医療用弁に関し、液体回路、例えば、輸液バッグ、輸液ライン（ルート）の中途部、体外液体回路に備えられて、微量元素、ビタミン、抗生物質等の薬液の補液、混注、追加投与等を行うための混注プラグ等において、操作者の誤穿刺等の問題から、金属針を用いずに、雄ルアーの接続により補液等を行えるものに関する。
【背景技術】
【０００２】
金属針を用いずに、輸液ルートにシリンジや他の液体回路等の雄ルアーを接続する医療用弁として、ハウジングに内蔵されたスパイク体が、弾性シールにより被覆されたものがある（例えば、特許文献１参照。）。
【０００３】
このものでは、雄ルアーのチップの押圧により、弾性シールが下方に圧縮され、スパイク体が弾性シールに挿通されて、上方に露出し、雄ルアーのチップ内に進入する。これにより、雄ルアー内部とスパイク体内部の液体移送路が、スパイク体側面の開口を介して、連通し、液体が移送可能となる。又、雄ルアーのチップによる弾性シールの押圧を解除すると、圧縮状態の弾性シールが、その弾発力により、伸長して、元の大きさに戻り、スパイク体は弾性シール内にシールされる。
【０００４】
ところで、コスト面を考慮すると、スパイク体は、通常、樹脂製とされる。ところが、上記従来においては、スパイク体内部に液体移送路が形成されて、液体移送路が、スパイク体の外周壁部により完全に被覆されているため、スパイク体の外径を小さくすると、スパイク体の外周壁部を極めて薄くする必要があり、この場合には、スパイク体を樹脂で成形することは極めて困難である。
【０００５】
このため、スパイク体が進入する雄ルアーのチップの内径は、大である方（例えば、内径が１．５ｍｍ以上）が好ましい。然しながら、雄ルアーがガラス製シリンジで、そのチップがガラス製の場合には、成形上の問題から、チップの内径を大にすることが困難であり、この場合には、チップ内にスパイク体を進入させることができず、雄ルアーと医療用弁を接続できないとの問題があった。
【０００６】
【特許文献１】特表平７―５０５０６４号公報
【発明の開示】
【発明が解決しようとする課題】
【０００７】
解決しようとする問題点は、雄ルアーのチップの内径が小である場合には、雄ルアーを医療用弁に容易に接続できなかった点である。
【課題を解決するための手段】
【０００８】
本発明は、上記問題点を解決した医療用弁を提供することを目的とし、その目的を達成するために、本発明の特徴とするところは、雄ルアーが分離可能に接続される医療用弁であって、Ａ．上端が開口する中空とされて、雄ルアーのチップが挿脱自在に挿入されるハウジングと、Ｂ．ハウジング内に上下方向に配設されて、少なくとも上端部を除く部分が、上端に向かうに従って外径が漸次連続的に小となる略テーパー状に形成され、径方向外方に開口する液体移送路が上下方向に形成されて、液体移送路の下部が液体回路と接続されるスパイク体と、Ｃ．弾性変形可能なチューブ状とされ、スパイク体に外嵌されて、スパイク体をシールすると共に、上端部が、スパイク体の上方で、開閉可能に閉鎖される開閉部とされ、雄ルアーのチップによる下方への押圧により、弾性変形して、下方に縮小すると共に、開閉部がスパイク体と当接して、径方向外方に弾性変形し、開放されて、スパイク体に外嵌され、雄ルアー内部とスパイク体の液体移送路が連通する弾性シールを有する点にある。
尚、スパイク体が、軸心部から径方向外方に突出する３枚以上のフィンを有し、隣接するフィン間が液体移送路とされることもある。
【０００９】
又、雄ルアーが分離可能に接続される医療用弁であって、Ａ．上端が開口する中空とされて、雄ルアーのチップが挿脱自在に挿入されるハウジングと、Ｂ．ハウジング内に上下方向に配設されて、少なくとも上端部を除く部分が、上方に向かって略テーパー状に形成され、外周面に、径方向外方に開口する溝状の液体移送路が上下方向に形成されて、液体移送路の下部が液体回路と接続される中実のスパイク体と、Ｃ．弾性変形可能なチューブ状とされ、スパイク体に外嵌されて、スパイク体をシールすると共に、上端部が、スパイク体の上方で、開閉可能に閉鎖される開閉部とされ、雄ルアーのチップによる下方への押圧により、弾性変形して、下方に縮小すると共に、開閉部がスパイク体と当接して、径方向外方に弾性変形し、開放されて、スパイク体に外嵌され、雄ルアー内部とスパイク体の液体移送路が連通する弾性シールを有することもある。
更に、上記スパイク体に代えて、下記のスパイク体を採用することもある。
即ち、スパイク体が、Ａ．その上端部を構成する結合部と、Ｂ．結合部と一体形成され、結合部から下方に分岐されて、スパイク体の残部を構成する複数の分岐部から成り、分岐部間が液体移送路とされることもある。
又、スパイク体が、スパイク体の上下方向全長にわたる複数の分割体から成り、分割体間が液体移送路とされることもある。
更に、スパイク体が、Ａ．スパイク体の上下方向全長にわたる複数の主体部と、Ｂ．これら主体部と一体形成されて、主体部間に配設され、これら主体部を結合するブリッジ部を有し、主体部間が液体移送路とされることもある。
【００１０】
又、雄ルアーが分離可能に接続される医療用弁であって、Ａ．上端が開口する中空とされて、雄ルアーのチップが挿脱自在に挿入されるハウジングと、Ｂ．ハウジング内に上下方向に配設されて、上端部が略円柱状とされると共に、上端面が上方に向かって凸状の略半球面とされ、上端部を除く部分が、上端に向かうに従って外径が漸次連続的に小となる略テーパー状に形成され、径方向外方に開口する液体移送路が上下方向に形成されて、液体移送路の下部が液体回路と接続されるスパイク体と、Ｃ．弾性変形可能なチューブ状とされ、スパイク体に外嵌されて、スパイク体をシールすると共に、上端部が、スパイク体の上方で、開閉可能に閉鎖される開閉部とされ、雄ルアーのチップによる下方への押圧により、弾性変形して、下方に縮小すると共に、開閉部がスパイク体と当接して、径方向外方に弾性変形し、開放されて、スパイク体に外嵌され、雄ルアー内部とスパイク体の液体移送路が連通する弾性シールを有することもある。
更に、スパイク体が、軸心部から径方向外方に突出する３枚以上のフィンを有し、隣接するフィン間が液体移送路とされることもある。
又、フィンが周方向等間隔に配設され、各フィンの外縁が弾性シール内面に当接することもある。
更に、弾性シールにおける、フィンとの当接部の横断面が略多角形とされることもある。
又、スパイク体の下部がハウジングに挿入、固定されることもある。
更に、開閉部の下面の中心部側が略平面とされて、スパイク体の上端と間隙を介して対向することもある。
又、弾性シールの上部の内周面に、径方向内方に突出し且つスパイク体の上端部と当接するリング状突起が略全周にわたって形成されることもある。
更に、弾性シールにおける、開閉部と下端部を除く部分が、蛇腹状の伸縮部とされることもある。
又、ハウジングの上端面と弾性シールの上端面が略面一とされることもある。
【発明の効果】
【００１１】
本発明によれば、雄ルアーのチップの内径が小の場合でも、スパイク体をチップ内に容易に進入させることができ、雄ルアーと医療用弁を容易に接続できる。又、スパイク体の少なくとも上端部を除く部分が、上端に向かうに従って外径が漸次連続的に小となる略テーパー状に形成されたテーパー部とされて、その外径が、下方に向かって、段階的ではなく、連続的に増加するので、弾性シールの伸縮時に、弾性シールがスパイク体の外周面に引っ掛かったりすることがなく、スムーズに伸縮する。
又、本発明の一実施態様では、スパイク体を中実とし、その外周面に、単に、溝を形成することで、液体移送路を構成したので、スパイク体の強度を大とでき、弾性シールの伸縮時等に、スパイク体が変形する惧れがない。
更に、本発明の一実施態様では、スパイク体が、スパイク体の上下方向全長にわたる複数の分割体から成り、スパイク体の構成が簡易であるため、製造を容易に行なえる。
又、本発明の一実施態様では、ブリッジ部を大とする程、スパイク体の強度を向上できると共に、デッドスペースを小とでき、又、ブリッジ部を小とする程、スパイク体をより小径とできる。即ち、ブリッジ部の大きさを変更することで、スパイク体、即ち、医療用弁の性能を容易に変更できる。
更に、本発明の一実施態様では、スパイク体の上端面が、上方に向かって凸状の半球面とされているので、スパイク体の上端面が開閉部と当接して、開閉部が開放される際に、開閉部がスムーズに開放されると共に、スパイク体の上端部が略円柱状とされているので、開閉部の開口部がスパイク体の上端部に沿ってスムーズに下降し、開閉部をスムーズに開閉できる。
又、本発明の一実施態様では、各フィンの外縁が弾性シールの内面に当接しているので、弾性シール内部の医療用弁容積（デッドスペース）を減少でき、雄ルアーのチップを医療用弁から分離させた際に発生する薬液の逆流（バックフロー）量を減少できる。
更に、本発明の一実施態様では、スパイク体の下部がハウジングに挿入、固定されているので、スパイク体をハウジングに容易且つ確実に固定できる。
又、本発明の一実施態様では、弾性シールの上部の内周面に、径方向内方に突出し且つスパイク体の上端部と当接する周突起が略全周にわたって形成されているので、弾性シールの開閉部の耐圧性（強度）を向上でき、開閉部の不慮の開放を防止できる。
更に、本発明の一実施態様では、弾性シールにおける、開閉部と下端部を除く部分が、蛇腹状の伸縮部とされているので、弾性シールがスムーズに伸縮する。
【発明を実施するための最良の形態】
【００１２】
本発明は、雄ルアーのチップの内径が小である場合にも、雄ルアーを容易に接続できる医療用弁を提供する。
【実施例１】
【００１３】
以下、本発明を混注プラグに適用した実施例１を図１〜図５の図面に基づき説明すると、図１、図４及び図５は混注プラグを示し、混注プラグは、ハウジング１と、スパイク体（スリット棒）２と、弾性シール（部材）３等を有する。
【００１４】
図２にも示すように、ハウジング１は、上下両端で開口する中空とされて、雄ルアーが挿脱自在に挿入されるもので、本体７と、接続体８を有する。本体７及び接続体８の構成材料としては、ポリカーボネート樹脂、アクリル樹脂、硬質塩化ビニル樹脂、高密度ポリエチレン樹脂、ポリプロピレン樹脂、アクリルニトリル・ブタジエン・スチレンブロック共重合体樹脂、ポリアミド樹脂、ポリエチレンテレフタレート樹脂、ポリブチレンテレフタレート樹脂、ポリアセタール樹脂、フッ素樹脂、ポリフェニレンサルファイド樹脂、ポリエーテルサルフォン樹脂、ポリエーテルエーテルケトン樹脂、液晶ポリマー樹脂等が挙げられる。又、上記樹脂にガラス繊維またはグラファイト、無機フィラー、カーボンナノチューブ等を配合して、強度を強化したものを用いても良い。更に、下記の上流側連結部１０の無菌性を向上するために、抗菌剤( 銀・亜鉛置換ゼオライト、銀担持リン酸カルシウム等) を本体７等の構成材料に練り込んでも良い。
【００１５】
本体７は、上下両端が開口する中空とされて、上部が、雄ルアーが分離可能に接続される上流側（雄）連結部（（雄）継手手段、（雄）継手部）１０とされ、外周面に雄螺子部１１が形成されている。本体７の内面には、上流側連結部１０の内面とされる小径孔１２と、小径孔１２よりも大径とされた大径孔１３と、大径孔１３よりも大径とされた係合孔１７と、係合孔１７と同径とされ且つ雌螺子が形成された雌螺子部１４が、上記の順で、下方に連設されている。大径孔１３と係合孔１７の境界部には、段付状に形成され且つ下方に面状を呈する当接面１６が形成されている。
【００１６】
接続体８は、上下両端で開口する中空状とされて、本体７の下部内に挿入、固着されている。接続体８は、外周面に雄螺子が形成された嵌合部１９と、嵌合部１９よりも小径とされた下流側（雄）連結部（（雄）継手手段、（雄）継手部）２０を、上記の順で、下方に連設することで、一体形成されている。接続体８内部の中心部には、連通孔２２が上下方向に貫通形成されている。
【００１７】
嵌合部１９は、本体７の雌螺子部１４内に挿入、螺結されて、固定されている。下流側連結部２０は、本体７の雌螺子部１４の下部内から下方に突出すると共に、下方に向かって、テーパー状とされており、液体回路として例示される液体移送用チューブ２６が分離可能に接続されている。尚、液体回路は、輸液ラインや体外液体回路のチューブだけでなく、輸液バッグ等の各種液体バッグや各種機器も含む。尚、接続体８に嵌合部１９を設けず、接続体８を本体７に接着してもよい。
【００１８】
スパイク体２は、本体７における、小径孔１２の下部、大径孔１３及び雌螺子部１４の上端部にわたる内部に、上下方向に配設されて、接続体８の嵌合部１９上に立設されて、接着剤により固定されている。図３にも示すように、スパイク体２の上端部は、略一定外径のストレート部２Ａとされ、残部が、上端に向かうに従って外径が漸次連続的に小となる（略）テーパー状に形成されたテーパー部２Ｂとされている。尚、スパイク体２の全体を、上端に向かうに従って外径が漸次連続的に小となる（略）テーパー状に形成することもある。ストレート部２Ａの最大外径については、例えば、雄ルアーとされるガラス製シリンジのチップ内径が１．０〜２．５ｍｍであるので、０．５〜２．０ｍｍ程度が好ましい。スパイク体２の構成材料としては、本体７と同様の樹脂の他、ステンレス等の金属材料が挙げられる。
【００１９】
スパイク体２は、軸心部から径方向外方に突出する３枚以上（本例では、４枚）のフィン２７を有する。フィン２７は、周方向等間隔に配設されると共に、スパイク体２の上下方向全長にわたっており、隣接するフィン２７間が、上下方向の液体移送路２８とされている。液体移送路２８は、スパイク体２の上下方向全長にわたって形成されて、径方向外方に開口すると共に、上下両端で開口している。液体移送路２８の下端開口は、接続体の連通孔２２と連通している。尚、フィン２７を、スパイク体２における、ストレート部２Ａを除く上下方向全長にわたって設けてもよい。
【００２０】
弾性シール３は、弾性変形可能なチューブ状（略円筒状）とされて、スパイク体２に上方から外嵌されて、スパイク体２をシールするもので、開閉部２９と、伸縮部３０と、フランジ部３１を、上記の順で、下方に連設することで、一体形成されている。弾性シール３は、雄ルアーのチップによる下方への押圧により、弾性変形して、下方に縮小すると共に、開閉部２９がスパイク体２と当接して、径方向外方に弾性変形し、開放されて、スパイク体２に外嵌され、雄ルアーのチップとスパイク体２の液体移送路２８が連通する。弾性シール３の構成材料としては、天然ゴム、合成ポリイソプレンゴム、ブチルゴム、クロロプレンゴム、シリコーンゴム、ウレタンゴム、スチレンーブタジエンゴム、エチレンプロピレンゴム、アクリルゴム、フッ素ゴム、熱可塑性エラストマー等が挙げられる。
【００２１】
開閉部２９は、弾性シール３の上端部を構成するもので、略円盤状とされ、本体７の小径孔１２の上部内に配設されて、スパイク体２の上方に位置しており、その上端面が本体７の上端面と（略）面一とされている。開閉部２９の下面の中心部側は、上方に半球状に凹設された凹設面３２とされ、凹設面３２が、スパイク体２の上端と、間隙を介して、対向している。尚、凹設面３２をスパイク体２の上端と当接させてもよい。又、凹設面３２を、スパイク体２のストレート部２Ａの外周面と当接させてもよい。開閉部２９の外径は、本体の小径孔１１の内径と（略）同一、又は、上記内径よりも若干小とされている。又、開閉部２９の外周部を除く部分には、単一（又は、直交する２本の）径方向のスリット３３が、上下方向に貫通形成されており、開閉部２９の径方向外方への弾性変形により、スリット３３が開放可能とされている。
【００２２】
伸縮部３０は、弾性シール３の大部分を構成するもので、蛇腹状とされて、開閉部２９下面から下設され、スパイク体２を内有している。尚、雄ルアーのチップによる弾性シール３の下方への押圧時に、弾性シール３は下方へ縮小するが、この縮小の大部分（又は、全部）が、伸縮部３０で行なわれる。
【００２３】
フランジ部３１は、弾性シール３の下端部を構成するもので、リング状とされ、伸縮部３０の下端部から径方向外方に突設されている。フランジ部３１は、本体７の係合孔１７に嵌合され、本体７の当接面１６と接続体８の嵌合部１９とにより、挟持固定されている。
【００２４】
上記構成例では、混注プラグを介して、輸液、採血等を行なう場合には、混注プラグの上端面を消毒した後、例えば、図４及び図５に示すように、雄ルアーとして例示されるシリンジ３７のチップ３８を、ハウジング１の本体７の小径孔１２内に上端開口から挿入する。
【００２５】
この際、図５の仮想線で示すように、シリンジ３７として、内面に雌螺子部が形成されたロック部材４０付きのものを使用し、このロック部材４０の雌螺子部を本体７の雄螺子部１１に螺結すれば、シリンジ３７の上記挿入状態を確実に維持できる。
【００２６】
シリンジ３７のチップ３８の上記挿入により、弾性シール３が押圧され、弾性シール３の伸縮部３０等が、その弾発力に抗して、縮小する。この際、スパイク体２の少なくとも上端部を除く部分が、上端に向かうに従って外径が漸次連続的に小となる（略）テーパー状に形成されたテーパー部２Ｂとされて、その外径が、下方に向かって、段階的ではなく、連続的に増加するので、弾性シール３の縮小時に、弾性シール３の伸縮部３０等がスパイク体２の外周面に引っ掛かったりすることがなく、スムーズに縮小する。又、弾性シール３における、開閉部２９とフランジ部３１を除く部分が、蛇腹状の伸縮部３０とされているので、この点からも、弾性シール３はスムーズに縮小する。
【００２７】
上記縮小及び弾性シール３の開閉部２９のスリット３３とスパイク体２の上端との当接により、図５に示すように、開閉部２９が径方向外方に弾性変形して、開閉部２９のスリット３３が開放され、開閉部２９がスパイク体２のテーパー部２Ｂの上端部に外嵌されて、スパイク体のストレート部２Ａ及び液体移送路２８の上端部が露出する。これにより、シリンジ３７内部が、スパイク体の液体移送路２８、接続体８の連通孔２２を介して、チューブ２６と連通するので、輸液、採血等を従来同様に行なえる。
【００２８】
輸液、採血等が終了すれば、シリンジ３７のチップ３８をハウジング１の本体７内から抜去する。これによって、弾性シール３の伸縮部３０等の弾発力により、伸縮部３０等が上方に伸長して、元の大きさに戻る。この際、スパイク体２の少なくとも上端部を除く部分が、上端に向かうに従って外径が漸次連続的に小となる（略）テーパー状に形成されたテーパー部２Ｂとされているので、上記同様に、弾性シール３の伸縮部３０等がスパイク体２の外周面に引っ掛かったりすることがなく、スムーズに伸長する。又、弾性シール３における、開閉部２９とフランジ部３１を除く部分が、蛇腹状の伸縮部３０とされているので、この点からも、弾性シール３はスムーズに伸長する。更に、この伸長と同時に、開閉部２９も上昇して、元の位置に戻り、これにより、開閉部２９のスリット３３が閉鎖されて、弾性シール３により、スパイク体２がシールされる。
【００２９】
上記構成例によれば、スパイク体２に、径方向外方に開口する液体移送路２８を形成し、従来のように、液体移送路２８を、スパイク体２の外周壁部により完全に被覆しないようにして、スパイク体２の外径を小さくした場合でも、スパイク体２の外周壁部を極めて薄くする必要をなくしたので、外径の小さなスパイク体２でも、樹脂等により、容易に成形できる。
【００３０】
それ故、上記のように、雄ルアーがガラス製シリンジ３７で、そのチップ３８がガラス製とされ、その内径が小の場合でも、スパイク体２をチップ３８内に容易に進入させることができ、シリンジ３７と混注プラグを容易に接続できる。
【実施例２】
【００３１】
図６は本発明の実施例２を示し、中実のスパイク体２の外周面に、断面Ｖ型状の溝とされた液体移送路２８が上下方向全長にわたって形成されている。尚、液体移送路２８を、スパイク体２における、ストレート部２Ａを除く上下方向全長にわたって形成してもよい。又、本例及び下記の第３〜５例では、上記第１例と同様に、テーパー部２Ｂの外径が、上端に向かうに従って漸次連続的に小となるようにされているが、その外径を、連続的ではなく、段階的に小となるようにしてもよい。又、スパイク体２の全体を、上記のようにしてもよい。
【００３２】
上記構成例では、スパイク体２を中実とし、その外周面に、単に、断面Ｖ型状の溝を形成することで、液体移送路２８を構成したので、スパイク体２の強度を大とでき、弾性シール３の伸縮時等に、スパイク体２が変形する惧れがない。
【実施例３】
【００３３】
図７は本発明の実施例３を示し、スパイク体２が、結合部４０と、複数（図例では、２本）の分岐部４１を有する。結合部４０は、スパイク体２の上端部を構成し、スパイク体２の残部が分岐部４１により構成されている。分岐部４１は結合部４０と一体形成されて、下方に分岐されている。分岐部４１間が液体移送路２８とされている。
【実施例４】
【００３４】
図８は本発明の実施例４を示し、スパイク体２が、その上下方向全長にわたる複数の分割体４３から成る。本例では、分割体４３は、一対とされて、線対称とされ、分割体４３間が液体移送路２８とされている。
【００３５】
上記構成例では、スパイク体２の構成が簡易であるため、製造を容易に行なえる。
【実施例５】
【００３６】
図９〜図１１は本発明の実施例５を示し、スパイク体２が、複数（図例では、２個）の主体部４５と、ブリッジ部４６を有する。主体部４５は、スパイク体の上下方向全長にわたるものとされ、一方、ブリッジ部４６は、これら主体部４５と一体形成されて、主体部４５間に配設され、これら主体部４５を結合する。主体部４５間が液体移送路２８とされている。
【００３７】
上記構成例では、ブリッジ部４６を大とする程、スパイク体２の強度を向上できると共に、デッドスペースを小とでき、又、ブリッジ部４６を小とする程、スパイク体２をより小径とできる。即ち、ブリッジ部４６がスパイク体２の外部に突出しない範囲で、ブリッジ部４６の長さ及び厚さを変更することで、スパイク体２、即ち、混注プラグの性能を容易に変更できる。
【実施例６】
【００３８】
図１２〜図１７は本発明の実施例６を示し、図１２及び図１６に示すように、本体７がハウジング１の概ね上部側を構成すると共に、本体７の下面が当接面１６とされている。又、本体７の下部の外周部には、径方向外方に突出する複数個の嵌合突起４８が周方向等間隔に形成されている。本体７の内面における、上部の小径孔１２を除く部分は、上方に向かってテーパー状とされたテーパー孔４９とされている。
【００３９】
接続体８はハウジング１の概ね下部側を構成している。接続体８は、上下方向に配設された筒状の外筒部５１と、下流側連結部２０と、リング部５２とを一体形成することで、構成されている。下流側連結部２０は、上下方向に開口する筒状とされ、外筒部５１内に同心状として、上下方向に配設されると共に、下部側が外筒部５１から下方に突出しており、外筒部５１の上下方向中間部と、下流側連結部２０の上端部が、リング状とされたリング部５２により連結されている。
【００４０】
外筒部５１における、リング部５２よりも上部には、径方向に貫通形成された複数個の嵌合孔５４が周方向等間隔に形成され、この嵌合孔５４に、本体７の嵌合突起４８が弾性変形を介して係脱自在に係合されることで、本体７と接続体８が一体化されている。外筒部５１の内面における、リング部５２と隣接する部分は、スパイク体２のフランジ部３１が嵌合される係合孔１７とされている。外筒部５１における、リング部５２よりも下部側の内周面は、雌螺子が形成された雌螺子部１４とされている。
【００４１】
下流側連結部の内部は連通孔２２とされている。又、下流側連結部２０及びリング部５２の上面は当接面４７とされ、この当接面４７と本体７の当接面１６が、スパイク体２のフランジ部３１に当接し、このフランジ部３１を挟持している。更に、当接面４７には、上方に突出するリング状突起５６が一体形成されており、このリング状突起５６がスパイク体２のフランジ部３１に食い込むことで、フランジ部３１がハウジング１により強固に固定される。
【００４２】
スパイク体２は、図１３〜図１５にも示すように、ストレート部２Ａと、テーパー部２Ｂと、挿入部２Ｃを、上記の順で、下方に向かって、連設することで、構成されている。  
【００４３】
ストレート部２Ａは、スパイク体２の上端部を構成するもので、中実の略円柱状とされて、略一定外径とされる共に、その上端面が、上方に向かって凸状の半球面５８とされている。このように、ストレート部２Ａの上端面が、上方に向かって凸状の半球面５８とされているので、スパイク体２が弾性シール３の開閉部２９と当接して、開閉部２９が開放される際に、開閉部２９がスムーズに開放されると共に、スパイク体の上端部であるストレート部２Ａが略円柱状とされているので、開閉部２９の開口部がスパイク体２のストレート部２Ａに沿ってスムーズに下降し、開閉部２９をスムーズに開閉できる。
【００４４】
テーパー部２Ｂは、スパイク体２の上下端部を除く部分を構成するもので、上端に向かうに従って外径が漸次連続的に小となる（略）テーパー状に形成されている。
【００４５】
挿入部２Ｃは、スパイク体２の下端部を構成するもので、テーパー部２Ｂの下端の外径よりも小径とされると共に、一定外径とされ、接続体８の連通孔２２に挿入されて、連通孔２２内面に接着剤又は嵌合により固定されている。このように、スパイク体の下部の挿入部２Ｃを接続体８の連通孔２２に挿入、固定するようにしたので、スパイク体２をハウジング１に容易且つ確実に固定できる。
【００４６】
テーパー部２Ｂ及び挿入部２Ｃは、軸心部から径方向外方に突出する３枚以上（本例では、４枚）のフィン２７により構成されている。フィン２７は、周方向等間隔に配設されると共に、隣接するフィン２７間が、上下方向の液体移送路２８とされている。液体移送路２８は、径方向外方に開口すると共に、上下両端で開口し、その下端開口は、接続体の連通孔２２と連通している。
【００４７】
弾性シール３は、実施例１の弾性シールを変形したもので、開閉部２９と、伸縮部３０と、フランジ部３１を、上記の順で、下方に連設することで、一体形成されている。
【００４８】
伸縮部３０は、実施例１のように、蛇腹状とはされていない。伸縮部３０はスパイク体２にスムーズに外嵌できるように、その内面は、平滑面とすることが好ましい。伸縮部３０の上部の内外径は略一定径とされて、この上部の内面３Ａには、図１３に示すように、リング状突起６０が上下方向に１つ又は複数形成されている。リング状突起６０は伸縮部の内面から径方向内方に突出する共に、伸縮部の内面３Ａに（略）全周にわたって形成されている。これらリング状突起６０の少なくとも１個はスパイク体２のストレート部２Ａと当接し、これにより、弾性シール３の開閉部２９の耐圧性（強度）を向上でき、開閉部２９の不慮の開放を防止できる。
【００４９】
伸縮部３０の上部を除く部分は、上端に向かうに従って内外径が漸次連続的に小となる（略）テーパー状に形成され、特に、その下部側の縦断面の外側輪郭線は波形とされて、伸縮部３０が容易に伸縮するようにされている。
【００５０】
ところで、スパイク体２のテーパー部２Ｂの各フィン２７の最外側に位置する外縁を、弾性シール３の内面３Ａに当接させれば、弾性シール３内部の混注プラグの容積（医療用弁容積、デッドスペース）を減少でき、雄ルアーとして例示されるシリンジ３７のチップ３８を混注プラグから分離させた際に発生する薬液の逆流（バックフロー）量を減少できて、好ましい。そこで、本例では、例えば、弾性シール３の内径を、フィン２７の最小外径よりも小とし、スパイク体２に弾性シール３を弾性変形させながら外嵌することで、スパイク体２のテーパー部２Ｂのフィン２７の外面を、弾性シール３の内面３Ａに当接させている。この際、弾性シール３における、フィン２７との当接部の断面は、略多角形となる。例えば、図１４に示すように、スパイク体２のフィン２７の枚数が４枚であれば、弾性シール３における、フィン２７との当接部の断面が略４角形となり、又、図１７に示すように、スパイク体２のフィン２７の枚数が３枚であれば、弾性シール３における、フィン２７との当接部の断面が略３角形となる。尚、スパイク体２の各部の外径とは下記により定義される。即ち、各フィン２７の各部の最外側の外縁の一部を通過する最も小さい円を想定し、その円の直径を、スパイク体２の各部の外径としている。尚、弾性シール３における、フィン２７との当接部を、予め、フィン２７の枚数と対応する略多角形としておいてもよい。
【００５１】
尚、実施例１のハウジングと、実施例６のスパイク体及び弾性シールを組み合わせてもよく、又、実施例１のスパイク体及び弾性シールを、実施例６のハウジングと組み合わせてもよい。
【００５２】
又、実施例では、シリンジをハウジングから抜去した際に、弾性シールの弾発力により、弾性シールが伸長するようにしたが、この伸長を補助するために金属バネ、樹脂バネ等を組み合わせて、使用しても良い。又、実施の形態は、本発明を混注プラグに適用したものであるが、本発明は、その他の各種医療用弁に適用可能である。
【図面の簡単な説明】
【００５３】
【図１】本発明の実施例１を示す断面図である。
【図２】図１のＡ−Ａ線矢視断面図である。
【図３】図１のスパイク体の斜視図である。
【図４】図１の作動状態図である。
【図５】図４の作動状態図である。
【図６】本発明の実施例２を示す斜視図である。
【図７】本発明の実施例３を示す斜視図である。
【図８】本発明の実施例４を示す斜視図である。
【図９】本発明の実施例５を示す斜視図である。
【図１０】図９のＢ−Ｂ線矢視断面図である。
【図１１】図１０のＣ−Ｃ線矢視断面図である。
【図１２】本発明の実施例６を示す断面図である。
【図１３】図１２の一部拡大図である。
【図１４】図１２のＤ−Ｄ線矢視断面図である。
【図１５】図１２のスパイク体の斜視図である。
【図１６】図１２の作動状態図である。
【図１７】図１４の変形例である。
【符号の説明】
【００５４】
１  ハウジング
２  スパイク体
２Ａ  ストレート部
２Ｂ  テーパー部
２Ｃ  挿入部
３  弾性シール
３Ａ  内面
２６  液体移送用チューブ
２７  フィン
２８  液体移送路
２９  開閉部
３０  伸縮部
３３  スリット
３７  シリンジ（雄ルアー）
３８  チップ
４０  結合部
４１  分岐部
４３  分割体
４５  主体部
４６  ブリッジ部
５８  半球面
６０  リング状突起
【図１】
2004298618.tif 000003
【図２】
2004298618.tif 000004
【図３】
2004298618.tif 000005
【図４】
2004298618.tif 000006
【図５】
2004298618.tif 000007
【図６】
2004298618.tif 000008
【図７】
2004298618.tif 000009
【図８】
2004298618.tif 000010
【図９】
2004298618.tif 000011
【図１０】
2004298618.tif 000012
【図１１】
2004298618.tif 000013
【図１２】
2004298618.tif 000014
【図１３】
2004298618.tif 000015
【図１４】
2004298618.tif 000016
【図１５】
2004298618.tif 000017
【図１６】
2004298618.tif 000018
【図１７】
2004298618.tif 000019